【手続補正書】
【提出日】平成25年11月28日(2013.11.28)
【手続補正１】
【補正対象書類名】特許請求の範囲
【補正対象項目名】全文
【補正方法】変更
【補正の内容】
【特許請求の範囲】
【請求項１】
プロセス制御状態ロールアップの管理方法であって、
プロセス制御システム内に含まれる少なくとも１つのプロセス制御デバイスからプロセス制御情報を受信することと、
前記受信されたプロセス制御情報の一部と関連付けられた少なくとも１つの問題点を決定することと、
選択された状態タイプを受信することと、
前記少なくとも１つの問題点が前記選択された状態タイプと関連付けられているか否かを判定することと、
前記選択された状態タイプと関連付けられかつ前記少なくとも１つの問題点を含むプロセス制御状態ロールアップを表示することと、
を含む方法。
【請求項２】
選択された期間を受信することと、
前記期間内に発生した１つ以上の状態問題点を決定することと、
前記期間内に発生した前記１つ以上の状態問題点を前記状態ロールアップ内に表示することと、
をさらに含む、請求項１に記載の方法。
【請求項３】
前記少なくとも１つの問題点の優先度を決定することであって、前記優先度は、前記選択された状態タイプと関連付けられることと、
前記少なくとも１つの問題点について、前記決定された優先度に対応する優先度インジケータを表示することと、
をさらに含む、請求項１又は２に記載の方法。
【請求項４】
選択された時間を受信することと、
前記選択された時間において発生した前記プロセス制御システムと関連付けられた少なくとも１つの問題点を決定することと、
選択された第２の状態タイプを受信することと、
前記選択された時間における前記少なくとも１つの問題点が前記選択された第２の状態タイプと関連付けられているか否かを判定することと、
前記選択された第２の状態タイプと関連付けられた前記少なくとも１つの問題点を表示することと、
前記選択された時間において発生した前記少なくとも１つの問題点を示すことと、
をさらに含む、請求項１〜３のいずれか一項に記載の方法。
【請求項５】
前記選択された状態タイプ内に含まれるサブ状態タイプの選択を受信することと、
前記少なくとも１つの問題点が前記サブ状態タイプと関連付けられているか否かを判定することと、
前記サブ状態タイプと関連付けられた前記プロセス制御状態ロールアップ内に前記少なくとも１つの問題点を表示することと、
をさらに含む、請求項１〜４のいずれか一項に記載の方法。
【請求項６】
前記選択された状態タイプを受信すると、前記少なくとも１つの問題点と関連付けられた電子工場表示の一部を強調表示することにより、前記選択された状態タイプと関連付けられた前記少なくとも１つの問題点を前記プロセス制御システムと関連付けられた前記電子プロセス工場表示内に表示すること、をさらに含む、請求項１〜５のいずれか一項に記載の方法。
【請求項７】
前記選択された少なくとも１つの問題点を受信すると、前記選択された少なくとも１つの問題点と関連付けられた電子工場表示の少なくとも一部を強調表示することにより、前記少なくとも１つの問題点を前記電子プロセス工場表示内に表示することをさらに含む、請求項１〜６のいずれか一項に記載の方法。
【請求項８】
前記選択された状態タイプと関連付けられた前記少なくとも１つの問題点に基づいて状態因子を計算することをさらに含む、請求項１〜７のいずれか一項に記載の方法。
【請求項９】
選択された状態タイプを受信する前に、選択されたプロセス制御コンポーネントタイプを受信することと、
前記少なくとも１つの問題点が前記選択されたプロセス制御コンポーネントタイプと関連付けられているか否かを判定することと、
前記選択されたコンポーネントタイプに関連付けられた第２のプロセス制御状態ロールアップ内に前記少なくとも１つの問題点を表示することと、
をさらに含む、請求項１〜８のいずれか一項に記載の方法。
【請求項１０】
前記選択された状態タイプを受信する前に、前記少なくとも１つの問題点と関連付けられた前記状態タイプを決定することと、
１以上の問題点が有る場合、各決定された状態タイプと関連付けられた問題点の数をカウントすることと、
前記少なくとも１つの問題点、前記決定された関連付けられた状態タイプ、または各決定された状態タイプと関連付けられた問題点の数のうち少なくとも１つを前記プロセス制御状態ロールアップ内に表示することと、
をさらに含む、請求項１〜９のいずれか一項に記載の方法。
【請求項１１】
１以上の問題点が有る場合、前記選択された状態タイプと関連付けられた前記少なくとも１つの問題点に基づいて、前記決定された状態タイプそれぞれについて状態因子を計算することと、
前記少なくとも１つの状態因子に基づいてプロセス因子を計算することと、
をさらに含む、請求項１０に記載の方法。
【請求項１２】
プロセス制御状態ロールアップを管理する装置であって、
受信されたプロセス制御情報の一部と関連付けられた少なくとも１つの問題点を判定するための問題点検出器と、
前記少なくとも１つの問題点が選択された状態タイプと関連付けられているか否かを判定するためのロールアッププロセッサと、
前記選択された状態タイプと関連付けられかつ前記少なくとも１つの問題点を含むプロセス制御状態ロールアップを表示するための表示管理器と、
を含む、装置。
【請求項１３】
プロセス制御システム内に含まれる少なくとも１つのプロセス制御デバイスから前記プロセス制御情報を受信するためのプロセス制御情報受信器と、
選択受信器であって、
選択された状態タイプを受信すること、
選択された第２の状態タイプを受信すること、
前記選択された状態タイプ内に含まれるサブ状態タイプの選択を受信すること、
選択されたプロセス制御コンポーネントタイプを受信すること、
選択された時間を受信すること、
のうち少なくとも１つのためのものである選択受信器と、
をさらに含む、請求項１２に記載の装置。
【請求項１４】
前記ロールアッププロセッサは、
前記選択された時間と関連付けられたプロセス制御情報を含むプロセス制御情報データベースにアクセスすることにより、前記選択された時間に発生した、前記プロセス制御システムと関連付けられた少なくとも１つの問題点を決定し、かつ、
前記選択された時間における前記少なくとも１つの問題点が前記選択された第２の状態タイプと関連付けられているか否かを判定するためのものである、請求項１３に記載の装置。
【請求項１５】
前記問題点検出器は、前記少なくとも１つの問題点の優先度を決定するためのものであり、前記優先度は、前記選択された状態タイプと関連付けられ、
前記表示管理器は、前記少なくとも１つの問題点について、前記決定された優先度に対応する優先度インジケータを表示するためのものである、
請求項１２〜１４のいずれか一項に記載の装置。
【請求項１６】
前記ロールアッププロセッサは、
前記選択された状態タイプを受信する前に、前記少なくとも１つの問題点と関連付けられた前記状態タイプを決定し、
１つよりも多くの問題点が有る場合、各決定された状態タイプと関連付けられた問題点の数をカウントし、
１つよりも多くの問題点が有る場合、前記選択された状態タイプと関連付けられた前記少なくとも１つの問題点に基づいて、前記決定された状態タイプそれぞれについて状態因子を計算し、
前記少なくとも１つの状態因子に基づいて、プロセス因子を計算する、
ためのものである、請求項１２〜１５のいずれか一項に記載の装置。
【請求項１７】
前記ロールアッププロセッサは、前記選択された状態タイプと関連付けられた前記少なくとも１つの問題点に基づいて状態因子を計算するためのものである、請求項１２〜１６のいずれか一項に記載の装置。
【請求項１８】
命令がその中に記憶された、機械アクセス可能な媒体であって、前記命令が実行されると、
プロセス制御システム内に含まれる少なくとも１つのプロセス制御デバイスからプロセス制御情報を受信することと、
前記受信されたプロセス制御情報の一部と関連付けられた少なくとも１つの問題点を決定することと、
選択された状態タイプを受信することと、
前記少なくとも１つの問題点が前記選択された状態タイプと関連付けられているか否かを判定することと、
前記選択された状態タイプと関連付けられかつ前記少なくとも１つの問題点を含むプロセス制御状態ロールアップを表示することと、
を機械に行わせる、機械アクセス可能な媒体。
【請求項１９】
前記機械アクセス可能な命令は、実行されると、
前記少なくとも１つの問題点の優先度を決定することであって、前記優先度は、前記選択された状態タイプと関連付けられることと、
前記少なくとも１つの問題点の前記決定された優先度に対応する優先度インジケータを表示することと、
を前記機械に行わせる、請求項１８に記載の機械アクセス可能な媒体。
【請求項２０】
前記機械アクセス可能な命令は、実行されると、
前記選択された状態タイプを受信する前に、前記少なくとも１つの問題点と関連付けられた前記状態タイプを決定することと、
１つよりも多くの問題点が有る場合、各決定された状態タイプと関連付けられた問題点の数をカウントすることと、
前記少なくとも１つの問題点、前記決定された関連付けられた状態タイプ、または各決定された状態タイプと関連付けられた問題点の数のうち少なくとも１つを前記プロセス制御状態ロールアップ内に表示すること、
を前記機械に行わせる、請求項１８又は１９に記載の機械アクセス可能な媒体。
【請求項２１】
前記機械アクセス可能な命令は、実行されると、
前記選択された状態タイプ内に含まれるサブ状態タイプの選択を受信することと、
前記少なくとも１つの問題点が前記サブ状態タイプと関連付けられているか否かを判定することと、
前記サブ状態タイプと関連付けられた前記プロセス制御状態ロールアップ内に前記少なくとも１つの問題点を表示すること、
を前記機械に行わせる、請求項１８〜２０のいずれか一項に記載の機械アクセス可能な媒体。
【請求項２２】
前記機械アクセス可能な命令は、実行されると、前記選択された状態タイプを受信した後、前記少なくとも１つの問題点と関連付けられた電子工場表示の一部を強調表示することにより、前記選択された状態タイプと関連付けられた前記少なくとも１つの問題点を前記プロセス制御システムと関連付けられた前記電子プロセス工場表示内に表示することを前記機械に行わせる、請求項１８〜２１のいずれか一項に記載の機械アクセス可能な媒体。